(57)【要約】【課題】部品点数を削減でき、かつ、外観デザインの自由度を高めて外観を良好にできるカーテンウォールを提供すること。【解決手段】室外側に配置される外側面体２０と、この外側面体２０に対向して室内側に配置される内側面体３０と、これらの間に形成される中間空間１１とを備えたカーテンウォール１０であって、内側面体３０を構成する内窓３１および耐火パネル４１を中間横材４５で支持することにより、外側面体２０側に中間横材等を不要にでき、外側面体２０のパネル材２６を上下に２分割する必要がないので、部品点数を削減できる。さらに、外側面体２０のパネル材２６の高さ方向の寸法を自由に構成できるので、外観デザインの自由度が高まり、外観を良好にできる。【選択図】　図４
2004137730.tif 000002
【特許請求の範囲】
【請求項１】
室外側に配置される外側面体と、この外側面体に対向して室内側に配置される内側面体と、これら外側面体および内側面体の間に形成される中間空間とを備えたカーテンウォールであって、
前記内側面体は、少なくとも窓上枠を有する内窓と、この内窓の上側に設けられ所定の高さ寸法を有する耐火パネルと、当該内窓の窓上枠および当該耐火パネルの下端側を支持する中間横材とを備えて構成されているカーテンウォール。
【請求項２】
前記外側面体は、上枠、下枠および左右の縦枠が四周枠組みされた枠体と、この枠体の内側に嵌め込まれたパネル材とを備えて構成され、前記上枠の室内側に沿って固定された支持部材を介して建物に取り付けられ、
前記支持部材には、前記耐火パネルの上端側が固定され、かつ、前記中間横材が吊り材を介して支持されている請求項１に記載のカーテンウォール。
【請求項３】
前記中間横材は、室内外方向に延びる連結部材によって前記外側面体の縦枠に連結され、
前記外側面体、前記支持部材、前記吊り材、前記中間横材、および前記耐火パネルが一体にユニット化されている請求項２に記載のカーテンウォール。
【請求項４】
前記中間空間には、可動式の遮光手段が設けられている請求項１ないし請求項３のいずれかに記載のカーテンウォール。
【請求項５】
前記内窓の下方には、前記中間空間と室内空間とを連通する連通路が形成され、
前記内窓の上部で前記耐火パネルの下方には、前記中間空間の空気を排出する排気口が形成されている請求項１ないし請求項４のいずれかに記載のカーテンウォール。
【発明の詳細な説明】
【０００１】
【発明の属する技術分野】
本発明は、カーテンウォールに関する。
【０００２】
【背景技術】
従来より、建物の外壁であるカーテンウォールとして、室内と室外とを仕切るガラスパネル等の面材が二重に構成され、それらの面材同士の間に空間を有した、いわゆるダブルスキンタイプのカーテンウォールが知られている（例えば、特許文献１参照）。
このようなダブルスキンタイプのカーテンウォールは、四周枠組みされた枠内が中間横材によって上下に仕切られ、各々が上枠部および下枠部とされ、上枠部内に室外側ガラスおよび耐火パネルとしての断熱パネルを取り付けたスパンドレル部が構成され、下枠部内に室外側ガラスおよび室内障子を取り付けた窓部が構成されている。また、窓部の室外側ガラスと室内障子との間には、中間空間としての空間部が構成されている。
【０００３】
スパンドレル部の断熱パネルは、中間横材の室外側横材に取り付けられており、この断熱パネルと窓部の室内障子との間には、空間部および天井裏に開口し、それぞれを連通する排気口が形成されている。また、室内障子の下方には、室内と空間部とを連通する吸気口が形成されている。
このようなカーテンウォールによれば、室内の空気が吸気口から空間部に流入し、この空間部の空気が排気口から天井裏のダクトに排気されることにより、室内を換気するとともに、日射により温度が上昇しやすい空間部の空気を排気することで、窓際の温度をコントロールでき、室内の空調効率を向上できるという効果を奏する。
【０００４】
【特許文献１】
特開２０００−２５７１９７号公報
【０００５】
【発明が解決しようとする課題】
しかしながら、従来のカーテンウォールは、中間横材で上下に仕切られたスパンドレル部および窓部のそれぞれに室外側ガラスを設け、さらに中間横材の室外側横材に断熱パネルを取り付けているため、部品点数が多くなったり、中間横材が室外側に現れることで外観デザインの自由度が制約を受けるという問題がある。
なお、ダブルスキンタイプのカーテンウォールばかりではなく、中間空間を備えないシングルスキンタイプのカーテンウォールにおいても、従来では、枠内に横材等を配置し、この横材によって耐火パネルを支持しており、このような場合でもやはり、同様な問題が存在する。
【０００６】
本発明の目的は、部品点数を削減でき、かつ、外観デザインの自由度を高めて外観を良好にできるカーテンウォールを提供することにある。
【０００７】
【課題を解決するための手段】
本発明のカーテンウォールは、室外側に配置される外側面体と、この外側面体に対向して室内側に配置される内側面体と、これら外側面体および内側面体の間に形成される中間空間とを備えたカーテンウォールであって、前記内側面体は、少なくとも窓上枠を有する内窓と、この内窓の上側に設けられ所定の高さ寸法を有する耐火パネルと、当該内窓の窓上枠および当該耐火パネルの下端側を支持する中間横材とを備えて構成されていることを特徴とする。
【０００８】
なお、ここで、耐火パネルの有する所定の高さ寸法としては、例えば、建築基準法で耐火構造として規定されている９００ｍｍ以上の高さ寸法とされている。ただし、耐火パネルの他に耐火性能を有する方法を組み合わせることにより耐火構造の規定を満足できる場合、あるいは、耐火構造の必要がない場合においては、耐火パネルの高さ寸法を９００ｍｍ以下とすることができる。
【０００９】
このような構成では、内側面体を構成する内窓および耐火パネルを中間横材で支持することにより、内側面体を耐火構造上有効な外壁として構成し、外側面体側に耐火パネルを取り付けるための中間横材等を不要にできる。従って、外側面体がパネル材を備えて構成されている場合に、このパネル材を内側面体の耐火パネルの高さ寸法に対応した位置で上下に２分割する必要がないので、部品点数を削減できる。さらに、外側面体のパネル材を高さ方向に関して１枚で構成してもよく、また、任意の高さ位置に目地等を設けて複数のパネル材で構成してもよいので、外観デザインの自由度が高まり、外観を良好にできる。
【００１０】
また、本発明のカーテンウォールでは、前記外側面体は、上枠、下枠および左右の縦枠が四周枠組みされた枠体と、この枠体の内側に嵌め込まれたパネル材とを備えて構成され、前記上枠の室内側に沿って固定された支持部材を介して建物に取り付けられ、前記支持部材には、前記耐火パネルの上端側が固定され、かつ、前記中間横材が吊り材を介して支持されていることが望ましい。
このような構成では、外側面体と内側面体の耐火パネルおよび中間横材とを支持部材によって支持し、この支持部材を介して外側面体および内側面体を建物に取り付けることにより、当該カーテンウォールの建物に対する取付箇所が少なくなるので、ファスナーやブラケット等の部品点数を削減でき、取り付けに係る作業効率を向上できる。
【００１１】
この際、本発明のカーテンウォールでは、前記中間横材は、室内外方向に延びる連結部材によって前記外側面体の縦枠に連結され、前記外側面体、前記支持部材、前記吊り材、前記中間横材、および前記耐火パネルが一体にユニット化されていることが望ましい。
このような構成では、外側面体および内側面体の一部が支持部材で連結して一体化したカーテンウォールユニットを、支持部材を介して建物に取り付けることにより、当該カーテンウォールを構成する各部材をそれぞれ個別に取り付ける場合と比較して、取り付け作業が容易にでき、施工の迅速化を図ることができる。
【００１２】
また、本発明のカーテンウォールでは、前記中間空間には、可動式の遮光手段が設けられていることが望ましい。
なお、ここで、可動式の遮光手段としては、すだれ状に並列した複数の羽板（スラット）を上げ下げおよび角度操作することにより採光量を調節できるタイプのブラインドや、並べて吊り下げた複数のテープをレールに沿って水平移動および角度操作することにより採光量を調節できるタイプのブラインドが含まれる。さらに、布地を巻き込んで上げ下げできるロールブラインドや角度調節できるルーバー等も可動式の遮光手段に採用できる。
このような構成では、必要に応じて遮光手段を操作して室内への日射を遮り採光量を調節することで、窓周辺における日射による温度上昇や照度の時間変動を抑制でき、室内の空調効率や照明効率を向上できる。
【００１３】
さらに、本発明のカーテンウォールでは、前記内窓の下方には、前記中間空間と室内空間とを連通する連通路が形成され、前記内窓の上部で前記耐火パネルの下方には、前記中間空間の空気を排出する排気口が形成されていることが望ましい。
このような構成では、室内と中間空間とを連通する連通路および中間空間の空気を排出する排気口を形成することにより、室内の空気を中間空間を通じて換気できるとともに、日射や外気温の変化により温度変動の大きい窓近傍の空気、すなわち、中間空間内の空気を排気口から排出できるので、室内の空調効率をさらに向上できる。
【００１４】
【発明の実施の形態】
以下、本発明の一実施形態を図面に基づいて説明する。
図１は、本実施形態に係るカーテンウォール１０により外壁面が形成された建物１の外観姿図である。図２は、カーテンウォール１０の縦断面図、図３は、カーテンウォール１０の横断面図である。図４は、図２の要部を拡大して示す縦断面図である。図５は、図３の要部を拡大して示す横断面図である。なお、各図においては、カーテンウォール１０の主要構成部品の断面を示すハッチングが省略されている。
【００１５】
建物１の外壁面は、建物１の柱２に沿って上下方向に連続配置されたＰＣ版３と、これらのＰＣ版３同士の間に上下方向に連続配置されたカーテンウォール１０とによって、外観フラットに形成されている。
これらのＰＣ版３とカーテンウォール１０との間には、上下に連続した縦目地１５が形成され、上下のＰＣ版３同士の間およびカーテンウォール１０同士の間には、水平方向に連続した横目地１６が形成されている。
ＰＣ版３は、プレキャストコンクリート製の外壁部材で、柱２の室外側側面に図示しないファスナーやブラケット等を介して取り付けられている。
【００１６】
カーテンウォール１０は、建物１の外壁面を構成する外側面体としてのアウタースキン２０と、このアウタースキン２０に対向して室内側に配置される内側面体としてのインナースキン３０とを備えて構成されている。これらのアウタースキン２０およびインナースキン３０の間には、中間空間としての空間部１１が形成されており、カーテンウォール１０は、いわゆるダブルスキン構造となっている。
アウタースキン２０およびインナースキン３０の上方には、図４に示すように、アルミの押出形材製の中空部材を溶接して断面略Ｌ字形に一体に組み合わせて形成した支持部材５０が設けられている。カーテンウォール１０は、この支持部材５０およびファスナー５１やブラケット等を介して建物１の上階の梁４に固定されている。
【００１７】
アウタースキン２０は、それぞれアルミの押出形材製の上枠２１、下枠２２および左右の縦枠２３を四周枠組みした枠体２５を備え、上枠２１と下枠２２との間が中間縦材２４で連結されている。これらの枠体２５および中間縦材２４で囲まれた内側には、パネル材としてのガラス面材２６が嵌め込まれている。
アウタースキン２０の上枠２１は、その室内側側面を貫通するボルトによって支持部材５０に固定され、下枠２２は、図示しないファスナー等を介して梁４または床スラブ５に固定されている。
また、アウタースキン２０は、建物１の床面６間に渡る高さ寸法とされ、この高さ方向に関してガラス面材２６は１枚で構成されている。
なお、外側面体を構成するパネル材としては、ガラス面材に限らず、合成樹脂製パネルや金属パネル等であってもよい。
【００１８】
インナースキン３０は、内窓としての引違い窓３１と、この引違い窓３１と略同一面内で上方に配置される耐火パネル４１と、これらの引違い窓３１および耐火パネル４１を支持する中間横材４５とを備えて構成されている。
中間横材４５は、図４に示すように、断面略Ｌ字形の長尺部材で、カーテンウォール１０の幅寸法と略同一の長さ寸法を有し、支持部材５０の室内側下方に配置されている。この中間横材４５の両端には、室内外方向に延びる連結部材４６が固定され、この連結部材４６によって中間横材４５がアウタースキン２０の縦枠２３に連結されている。
そして、中間横材４５は、その長さ方向略中央部分の一箇所が吊り材４７を介して支持部材５０に吊り下げ支持されている。吊り材４７は、フラットバー等の長尺板状部材であり、その両端が支持部材５０および中間横材４５にブラケット等を介してボルト止めされている。
【００１９】
引違い窓３１は、それぞれアルミの押出形材製の窓上枠３２、窓下枠３３および左右の窓縦枠３４で囲まれた枠内に、四周框組みされガラスを嵌め込んだ障子３５が内外一対で配置されて構成されている。これら一対の障子３５は、窓上枠３２に形成されたレール部３２Ａによって開閉移動可能に吊り支持され、窓下枠３３に取り付けられたガイドローラーによって室内外方向の移動が規制されている。また、障子３５の縦框には、障子３５を開閉操作するためのハンドル３６が取り付けられている。
引違い窓３１の窓上枠３２は、レール部３２Ａの上方にレール部３２Ａと離間して天枠部３２Ｂを備え、この天枠部３２Ｂが中間横材４５にボルト止めにより固定されている。
また、引違い窓３１の窓下枠３３は、図示しないファスナー等を介して梁４または床スラブ５に固定されている。
【００２０】
耐火パネル４１は、所定の耐火性能（例えば、建築基準法等に規定された３０分耐火）を有する厚さ寸法のケイ酸カルシウム板から構成され、上端側を支持部材５０に、下端側を中間横材４５にねじ止めにより固定されている。耐火パネル４１の高さ寸法は、現行の建築基準法で耐火構造として規定されている９００ｍｍ以上とされており、すなわち、耐火構造上有効な垂れ壁として耐火パネル４１が構成されている。
また、耐火パネル４１と建物１の床スラブ５との間には、耐火材料としてのロックウール４２が隙間なく充填されている。
なお、耐火パネル４１の材料としては、ケイ酸カルシウム板に限らず、石膏ボードやセメント成形版、ＰＣ版等が採用できる。
【００２１】
アウタースキン２０およびインナースキン３０の間に形成された空間部１１には、支持部材５０に上端を固定された遮光手段としてのブラインド６０が吊り下げられている。このブラインド６０は、すだれ状に上下方向に並列した複数の羽板（スラット）６１を上げ下げおよび角度操作することにより採光量を調節できるようになっている。
ブラインド６０の羽板６１の水平方向両端には、アウタースキン２０の縦枠２３および中間縦材２４に沿って、羽板６１をガイドするガイド枠６２が立設されている。
なお、遮光手段としては、上記したブラインド６０に限らず、並べて吊り下げた複数のテープをレールに沿って水平移動および角度操作することにより採光量を調節できるカーテン状のブラインドや、布地を巻き込んで上げ下げできるロールブラインド、角度調節できるルーバー等も採用できる。
【００２２】
また、図４に示すように、上下方向に連続するアウタースキン２０同士の上枠２１および下枠２２は、横目地１６の奥側に取り付けられた室外側のレインバリア用のシール材２７、および室内側のウインドバリア用のシール材２８を介して互いに当接されている。
一方、図５に示すように、ＰＣ版３は、その水平方向の両側に予め埋設されたアルミの押出形材製の縦材７０を備えており、アウタースキン２０とＰＣ版３との間では、縦目地１５に沿って縦枠２３および縦材７０が配置されることになる。このような縦枠２３および縦材７０は、室外側のレインバリア用のシール材２７，７１、および室内側のウインドバリア用のシール材２８，７２を介して互いに当接されている。
【００２３】
以上の構成を備えるカーテンウォール１０は、アウタースキン２０、支持部材５０、吊り材４７、中間横材４５、連結部材４６、および耐火パネル４１が予め組み立てられて、カーテンウォールユニットとされている。すなわち、カーテンウォール１０の構成部材のうち、インナースキン３０の引違い窓３１を除く各部材を一体にユニット化した状態で、建物１にファスナー等を介して取り付けられることとなる。その後、建物１の室内側から引違い窓３１の各枠材３２，３３，３４および障子３５を固定することになっている。
【００２４】
以下には、カーテンウォール１０での換気構造について詳説する。
換気構造には、室内の内気を天井７の上側に配設された換気ダクト８０を通して図示しない換気装置等で機械的に排気する機械換気構造と、引違い窓３１を開けることでアウタースキン２０の縦目地１５部分から外気を取り入れる（または、内気を排出する）自然換気構造とが設けられている。
【００２５】
機械換気構造は、図４に示すように、引違い窓３１の下方に設けられ室内および空間部１１を連通する連通路８３と、窓上枠３２におけるレール部３２Ａおよび天枠部３２Ｂの間隔部分に設けられた排気口８５とを備えて構成されている。連通路８３は、窓下枠３３の室内側および空間部１１側に並べて配置されたグレーチング８１の開口部８２同士が、窓下枠３３の下側の隙間を介して連通することで形成されている。
排気口８５は、窓上枠３２のレール部３２Ａおよび天枠部３２Ｂの間隔部分の空間部１１側に、ルーバー等を取り付けて形成され、換気ダクト８０が接続されている。
このような機械換気構造により、室内の内気が連通路８３を通して空間部１１に流入し、さらに空間部１１内を上昇して、排気口８５から換気ダクト８０を通して排気されることとなる。この排気された内気を建物１の外部に排出してもよいし、図示しない空調機等を介して温度や湿度を調整し、再び室内に供給してもよい。
【００２６】
一方、自然換気構造は、以下のように構成されている。
図５に示すように、ＰＣ版３に埋設された縦材７０に外気取入用の取入口７３が穿設されており、縦目地１５と縦材７０の中空部７４とが連通している。また、中空部７４は、縦材７０の室内側に取り付けられる蛇腹状のフレキシブルダクト７５の内部と連通している。
フレキシブルダクト７５は、窓縦枠３４に設けた連通孔３４Ｂ部分に接続され、連通孔３４Ｂを通して中空部７４と窓縦枠３４の中空内部とが連通されている。そして、窓縦枠３４の障子３５が当接する側の側面には、吹出口３４Ａが穿設されている。この吹出口３４Ａは、引違い窓３１を閉じた状態においては障子３５の縦框によって塞がれている。
【００２７】
図５中丸囲み部に示すように、引違い窓３１を開けた状態においては、障子３５の縦框と窓縦枠３４との隙間部分を通して、室内と窓縦枠３４の中空内部とが連通され、すなわち、室内と室外の縦目地１５とが連通されることとなる。
このような自然換気構造により、建物１の外気が縦目地１５部分から、縦材７０の中空部７４、フレキシブルダクト７５の内部、および窓縦枠３４の中空内部を通って室内に流入し、室内が換気される。
なお、この際、室内の空気が上記とは逆の経路を通って建物１の外部に流出することで、室内が換気されるものであってもよい。
【００２８】
このような本実施形態によれば、以下のような効果がある。
（１）　建物１では、カーテンウォール１０のインナースキン３０を構成する引違い窓３１および耐火パネル４１を中間横材４５で支持することにより、インナースキン３０を耐火構造上有効な外壁として構成し、アウタースキン２０に耐火パネル４１を取り付けるための中間横材等を不要にできる。従って、アウタースキン２０のガラス面材２６を耐火パネル４１の下端側の位置で上下に２分割する必要がないので、部品点数を削減できる。さらに、アウタースキン２０のガラス面材２６を高さ方向に関して１枚で構成することで、外観デザインの自由度が高まり、外観を良好にできる。
【００２９】
（２）　アウタースキン２０とインナースキン３０の耐火パネル４１および中間横材４５とを支持部材５０によって支持し、この支持部材５０を介してカーテンウォール１０を建物１の梁４等に取り付けることにより、アウタースキン２０およびインナースキン３０をそれぞれ別々に取り付ける場合と比較して、カーテンウォール１０の建物１に対する取付箇所が少なくなるので、ファスナーやブラケット等の部品点数を削減でき、取り付けに係る作業効率を向上できる。
【００３０】
（３）　カーテンウォール１０を構成するアウタースキン２０、支持部材５０、吊り材４７、中間横材４５、連結部材４６、および耐火パネル４１が一体にユニット化されており、このユニット化されたカーテンウォールユニットを支持部材５０を介して建物１に取り付けることにより、カーテンウォール１０を構成する各部材をそれぞれ個別に取り付ける場合と比較して、取り付け作業が容易にでき、施工の迅速化を図ることができる。
【００３１】
（４）　空間部１１にブラインド６０が設けられていることにより、必要に応じてブラインド６０を操作して室内への日射を遮り採光量を調節することで、窓周辺における日射による温度上昇や照度の時間変動を抑制でき、室内の空調効率や照明効率を向上できる。
【００３２】
（５）　室内と空間部１１とを連通する連通路８３および空間部１１の空気を排出する排気口８５によって機械換気構造が構成されることにより、室内の空気を空間部１１を通じて換気できるとともに、日射や外気温の変化により温度変動の大きい窓近傍の空気、すなわち、空間部１１内の空気を排気口８５から排出できるので、室内の空調効率をさらに向上できる。
【００３３】
（６）　ＰＣ版３に埋め込まれた縦材７０、フレキシブルダクト７５、および窓縦枠３４が接続され、縦目地１５から窓縦枠３４の吹出口３４Ａまでを連通して自然換気構造を構成したことにより、引違い窓３１を開閉して外気を取り込むことができるので、必要に応じて室内の空気を換気することで、室内の空気環境を良好に維持することができる。
【００３４】
（７）　床スラブ５と耐火パネル４１とがロックウール４２を介して隙間なく接続されていることにより、建物１の上下階間における耐火構造を構成することができ、別途、耐火構造用の庇や腰壁等を設ける必要がないので、建物１の外観デザインを損なうことなく、経済的に耐火構造を実現できる。
【００３５】
なお、本発明は、前記実施形態に限定されるものではない。
例えば、前記実施形態では、アウタースキン２０およびインナースキン３０が支持部材５０を介して建物１に取り付けられていたが、これに限らず、アウタースキン２０およびインナースキン３０をそれぞれ個別に、ファスナー等を介して建物に取り付けることができる。
また、アウタースキン２０を枠体２５と、この枠体２５の内側に嵌め込んだガラス面材２６とを備える構成としたが、これに限らず、ガラス面材のみで構成することができ、また、ガラス面材を方立や無目によって支持する構成とすることができる。ガラス面材のみでアウタースキン２０を構成する場合、ガラス面材は、インナースキンや建物側に設けた固定具等によって支持され、ガラス面材同士やＰＣ版等との間に適宜、止水手段や気密手段を設けることで、外壁としての所定の性能が確保できる。
【００３６】
前記実施形態では、インナースキン３０の中間横材４５が吊り材４７により支持部材５０に支持されるものとしたが、これに限らず、吊り材４７を省略することができる。この際、中間横材４５の両端部とアウタースキン２０の縦枠２３とを連結する連結部材４６を補強、あるいは斜材等を付加することにより、中間横材の強度を確保することができる。
また、前記実施形態では、連結部材４６により中間横材４５の両端部とアウタースキン２０の縦枠２３とを連結するものとしたが、これに限らず、連結部材４６を省略することができる。この際、中間横材４５を支持部材５０に対して剛接合することや斜材等を設けることによって、中間横材４５で耐火パネル４１および引違い窓３１の窓上枠３２を確実に支持できる。
【００３７】
前記実施形態では、カーテンウォール１０を構成する部材のうち、引違い窓３１を除く各部材をユニット化しカーテンウォールユニットを構成したが、これに限らず、ユニット化する部材は任意に選択することができ、また、ユニット化するか否かも任意である。
また、前記実施形態では、空間部１１に遮光手段としてのブラインド６０を設けたが、遮光手段は本発明において必須の構成要件ではなく、設置するか否かは任意である。
また、前記実施形態では、室内の空気を空間部１１を介して換気ダクト８０に排気する機械換気構造と、縦目地１５部分から外気を室内に取り入れる自然換気構造とを設けたが、これらの換気構造は本発明において必須の構成要件ではなく、設置するか否かは任意である。
【００３８】
【発明の効果】
以上に述べたように、本発明のカーテンウォールによれば、部品点数を削減でき、かつ、外観デザインの自由度を高めて外観を良好にできるという効果がある。
【図面の簡単な説明】
【図１】本発明の一実施形態に係るカーテンウォールの外観姿図である。
【図２】前記カーテンウォールの縦断面図であり、図１のＩＩ−ＩＩ線断面図である。
【図３】前記カーテンウォールの横断面図であり、図１のＩＩＩ−ＩＩＩ線断面図である。
【図４】図２の要部を拡大して示す縦断面図である。
【図５】図３の要部を拡大して示す横断面図である。
【符号の説明】
１０…カーテンウォール、１１…中間空間である空間部、２０…外側面体であるアウタースキン、２１…上枠、２２…下枠、２３…縦枠、２５…枠体、２６…パネル材であるガラス面材、３０…内側面体であるインナースキン、３１…内窓である引違い窓、３２…窓上枠、４１…耐火パネル、４５…中間横材、４６…連結部材、４７…吊り材、５０…支持部材、６０…遮光手段であるブラインド、８３…連通路、８５…排気口。
【図１】
2004137730.tif 000003
【図２】
2004137730.tif 000004
【図３】
2004137730.tif 000005
【図４】
2004137730.tif 000006
【図５】
2004137730.tif 000007